(57)【要約】【課題】電気ワイヤードリモコン装置を使用してカメラをレリーズを行なう際、リモコン装置を引っ張った時にカメラが移動してしまい、そのことを撮影者が気が付かないで撮影を行なう事を防止する。【解決手段】カメラに配置されるリモコンソケットをカメラの外観面より窪んだ面に配置し、この窪んだ面の深さをリモコン端子部分の窪み量が最も多く、リモコン端子から出るケーブルの延在方向に行くにしたがって窪んだ面の深さが浅くなる構成とする。【選択図】　　　図２
2004078050.tif 000002
【特許請求の範囲】
【請求項１】
カメラと、前記カメラに配置されたリモコンソケットと、前記カメラから離れた位置での撮影を可能にするリモコン操作部と、前記リモコン操作部から前記カメラに信号を送るケーブルと、前記リモコン操作部から出る前記ケーブルの反対側端部には前記カメラの前記リモコンソケットと接続を行うリモコン端子があり、前記ケーブルと前記リモコン端子の接合部が、前記リモコン端子を前記リモコンソケット取り付ける方向に対し略直交しているカメラシステムに於いて、
前記カメラに配置される前記リモコンソケットは、前記カメラの外観面より凹んだ面に配置され、前記凹んだ面の深さは前記リモコン端子部分の凹量が最も多く、前記リモコン端子から出る前記ケーブルの延在方向に行くにしたがって前記凹んだ面の深さが浅くなっている事を特徴とするリモコン装置付きカメラ。
【請求項２】
前記凹部の形状は、前記リモコン端子の外周形状より僅かに大きい類似形状で且つ、その前記リモコン端子から出る前記ケーブルの延在方向には前記リモコンソケットより突出した形状が無い事を特徴とする請求項１記載のリモコン装置付きカメラ。
【請求項３】
前記リモコン操作部と、前記ケーブルと、リモコン端子と、前記カメラに配置されたリモコンソケットにより構成されるリモコン撮影装置は、電気式ワイヤードリモコンシステムである事を特徴とする請求項１ないし２記載のリモコン装置付きカメラ。
【請求項４】
前記リモコン端子から出る前記ケーブルの延在方向が被写体と反対の方向以外に配置された事を特徴とする請求項１ないし３記載のリモコン装置付きカメラ。
【発明の詳細な説明】
【０００１】
【発明の属する技術分野】
本発明は、電気式ワイヤードリモコン装置を使用して遠隔操作により画像を記録するカメラに関するものである。
【０００２】
【従来の技術】
接写や長時間露光を行う写真撮影に於いて、カメラを三脚などの装置を使用しカメラを固定した上で撮影を行うが、カメラ本体に配置されたレリーズ釦を使用するとレリーズ釦を押す力がカメラに伝わり写真がブレてしまい、三脚を使った意味がなくなってしまう事が周知である。これを回避するため、古くからケーブルレリーズや電気式ワイヤードリモコンやワイヤレスリモコンなどの装置を使用する事で前記問題を回避する方法も周知である。
【０００３】
図７は従来のカメラとそのカメラに装着された電気式ワイヤードリモコンの様子を示す部分断面図で、（Ａ）は電気式ワイヤードリモコンが未装着状態で、（Ｂ）は電気式ワイヤードリモコンを装着した状態で、５２はカメラの外観部、５４はリモコンソケット、５５はリモコン端子、５６は５４リモコン端子と図示しないリモコン操作部を電気的に接続するケーブルで、図７（Ｂ）に示す様にリモコン端子５５はカメラの外観部５２に干渉する部分がないのでリモコンソケット５４に対し接続状態に於いてもリモコン端子５５は３６０度回転可能に構成されている。
【０００４】
【発明が解決しようとする課題】
しかしながら、ケーブルレリーズでは、カメラへの取り付けがねじ込み固定式で操作性が悪く、近年カメラの電子化が進みケーブルレリーズを使用するカメラが減少しそれに代わって電気式ワイヤードリモコンを使用できるカメラシステムが増えている。また、ワイヤレスリモコンに於いては、その電気システムをカメラ及び送信機側にも備えなければならずカメラも送信機側も高価なもとなる。そこで、安価なカメラシステムで接写や長時間露光を行う写真撮影を実行するには、電気式ワイヤードリモコンが最も適しているわけだが、カメラを三脚などの装置を使用しカメラを固定した上で電気式ワイヤードリモコン装置を利用して撮影を行う時、使用者が誤って電気式ワイヤードリモコンの操作部を引っ張ってしまう事により、その力が電気式ワイヤードリモコンのワイヤー部を通じてリモコン端子に伝わる事で、三脚等に固定されたはずのカメラの位置が変化してしまい構図や焦点位置の変化が生じてしまう。その時、三脚に固定されたカメラが大きく傾いたり、横倒ししてしまえば使用者にも直にカメラに対し負荷がかかった事を認識することができるが、僅かな位置の変化では使用者は気がつかず、三脚を使用し電気式ワイヤードリモコンを使用したにも関わらず、意図とは違う構図や焦点のズレた写真が取れてしまう。特に接写や長時間露光による撮影に於いては、僅かな位置ずれが写真の出来を大きく左右するものなので、偶発的に起こるカメラの位置ズレを使用者に適切に知らせる必要がある。
【０００５】
本発明の目的は、リモコン装置を使用した撮影の際に、使用者が誤ってリモコン側からカメラに対しカメラの位置を僅かに動かしてしまうような負荷を掛けてしまった場合、カメラに設けられたリモコンソケットから、リモコン端子が切り離される事で使用者に対しカメラに負荷が掛かった事を容易に知らせる事を目的としている。
【０００６】
また、リモコン端子から出るケーブル方向が被写体と反対の方向以外に配置する事で、カメラに配置するリモコンソケットの位置に規制が少なくなり設計・デザインの自由度が増す。
【０００７】
【課題を解決するための手段】
本出願に係る発明の目的を実現する構成は、請求項１に記載のように、
カメラと、そのカメラに配置されたリモコンソケットと、カメラから離れた位置での撮影を可能にするリモコン操作部と、リモコン操作部からカメラに信号を送るケーブルと、リモコン操作部から出るケーブルの反対側端部にはカメラのリモコンソケットと接続を行うリモコン端子があり、ケーブルとリモコン端子の接合部が、リモコン端子をリモコンソケットに取り付ける方向に対し略直交しているカメラシステムに於いて、
カメラに配置されるリモコンソケットは、カメラの外観面より凹んだ面に配置され、凹んだ面の深さはリモコン端子部分の凹量が最も多く、リモコン端子から出るケーブルの延在方向に行くにしたがって凹んだ面の深さが浅くなっている事により、リモコン端子に回転力が働くと、凹面の浅い部分から深い部分に向かう斜面に添いリモコンソケットからリモコン端子が切り離される事で、使用者に対しカメラに負荷が掛かった事を容易に知らせる事ができる。
【０００８】
本出願に係る発明の目的を実現する構成は、請求項２に記載のように、
凹部の形状は、リモコン端子の外周形状より僅かに大きい類似形状で且つ、そのリモコン端子から出るケーブルの延在方向にはリモコンソケットより突出した形状が無い事で、リモコン端子に回転力が働くと、凹面の浅い部分から深い部分に向かう斜面に添いリモコンソケットからリモコン端子が切り離される事で、使用者に対しカメラに負荷が掛かった事を容易に知らせる事ができる。
【０００９】
本出願に係る発明の目的を実現する構成は、請求項３に記載のように、
リモコン操作部と、ケーブルと、リモコン端子と、カメラに配置されたリモコンソケットにより構成されるリモコン撮影装置は、電気式ワイヤードリモコンシステムである事でリモコン端子に回転力が働くと、凹面の浅い部分から深い部分に向かう斜面に添いリモコンソケットからリモコン端子が切り離される事で、使用者に対しカメラに負荷が掛かった事を容易に知らせる事ができる。
【００１０】
本出願に係る発明の目的を実現する構成は、請求項４に記載のように、
リモコン端子から出るケーブルの延在方向が被写体と反対の方向以外に配置する。
【００１１】
【発明の実施の形態】
以下、本発明の実施の形態を図面に基づいて説明する。
【００１２】
図１は本発明を示すカメラの全体図、図２は本発明を示すカメラで特にリモコンソケット部分の断面図、図３は本発明を示すカメラの全体図で電気式ワイヤードリモコン装置をカメラに装着した所を示すシステム全体図、図４はリモコン装置によりカメラに対し負荷が掛かる事でリモコン端子がリモコンソケットから外れる過程の前半を示す図、図５はリモコン装置によりカメラに対し負荷が掛かる事でリモコン端子がリモコンソケットから外れる過程の後半を示す図、図６はリモコン端子がリモコンソケットから完全に外れた様子を示す図である。
【００１３】
１はカメラの撮影レンズ、２はカメラ、３はカメラのレリーズ釦、４は電気式ワイヤードリモコン装置を接続するリモコンソケット、５は電気式ワイヤードリモコン装置のリモコン端子、７は電気式ワイヤードリモコン装置の操作部、６は５のリモコン端子と７の操作部を電位的に接続するケーブル、８は７の操作部に設けられたレリーズ釦である。
【００１４】
また、５のリモコン端子、６のケーブル、７の操作部、８のレリーズ釦により構成された物が電気式ワイヤードリモコン装置である。
【００１５】
図２で２ａは２のカメラの基本外観面に対し一段凹んだ面であり４のリモコンソケットのリモコン端子５への接続面が露出していて、２ｂは２のカメラに設けられた２ａの凹部によって形成される側壁で、２ｂの側壁は図３で示している様に５のリモコン端子から出る６のケーブルの方向に向かい凹の量が徐々に減少している。また、２ｃは２ｂの側壁により形成された外観側の稜線で、点ｄから点ｅに向かい２ｂの側壁の深さが変化している様子を示している。また、２ａは２のカメラの基本外観面に対し一段凹んだ面である事から、２ｂの側壁と２ｃの外観側の稜線は６のケーブルを挟み反対側にも存在している。また、点ｅ付近での２ｂの側壁の深さは、５のリモコン端子が４のリモコンソケットに対し、電気的接続が不可能な深さに設定されている。
【００１６】
次に、図２から図６を用いて使用者が電気式ワイヤードリモコン装置の操作部７からカメラに対し負荷を掛けてしまった時の動きを説明する。
【００１７】
図４で示すＦは使用者が７の操作部をカメラ後方に（矢印の方向）誤って引っ張ってしまった事で、５のリモコン端子が図中にて半時計回り方向に回転を始め、２ｃの外観側の稜線に添って４のリモコンソケットから抜け出す過程を示している。この段階ではカメラの構図や焦点位置が僅かにズレが生じ初めると共に電気的接続も切り離され７の操作部に設けられた８のレリーズ釦による操作は不可能な状態となる。更に負荷を掛け続けると図５に示す様に５のリモコン端子が４のリモコンソケットから、かなりの部分が抜け、やがて図６に示す様に５のリモコン端子が４のリモコンソケットから完全に抜け落ちてしまっている。この段階では構図や焦点位置は使用者の意思に反した状態になっているが、５のリモコン端子が４のリモコンソケットから完全に抜け落ちているので、使用者は電気式ワイヤードリモコン装置の７操作部からカメラに対し負荷を掛けてしまった事を、肉眼ではっきりと容易に知る事ができる。
【００１８】
本実施の形態では、図３に示す様に５のリモコン端子からでる、６のケーブルが半時計周り方向になる時の様子で説明しているが、時計周り方向に作用しても２ｂの側壁と２ｃの外観側の稜線は６のケーブルを挟み反対側にも存在していることで同様の目的効果が達成できる様に構成されている。
【００１９】
更に、本実施の形態では、５のリモコン端子からでる６のケーブルを撮影レンズ方向になるように２ａの一段凹んだ面を設定しているが、カメラ後方（矢印Ｆで示す方向）以外であれば、例えば上方や下方に２ａの一段凹んだ面を配置しても同様の目的効果を達成できる。
【００２０】
【発明の効果】
本発明の第一の効果は、リモコン装置を使用した撮影の際に、使用者が誤ってリモコン側からカメラに対し負荷を掛けてしまった場合、カメラに設けられたリモコンソケットから、リモコン端子が切り離される事で使用者に対しカメラに負荷が掛かった事を容易に知らせる事ができる。
【００２１】
本発明の第二の効果は、リモコン装置を使用した撮影の際に、使用者が誤ってリモコン側からカメラに対しカメラの位置を僅かに動かしてしまうような負荷を掛けてしまった場合、カメラに設けられたリモコンソケットから、リモコン端子が切り離される事で使用者に対しカメラに負荷が掛かった事を容易に知らせる事ができる。
【００２２】
本発明の第三の効果は、電気式ワイヤードリモコンシステム使用した撮影の際に、使用者が誤ってリモコン側からカメラに対しカメラの位置を僅かに動かしてしまうような負荷を掛けてしまった場合、カメラに設けられたリモコンソケットから、リモコン端子が切り離される事で使用者に対しカメラに負荷が掛かった事を容易に知らせる事ができる。
【００２３】
本発明の第四の効果は、リモコン端子から出るケーブル方向が被写体と反対の方向以外に配置する事で、カメラに配置するリモコンソケットの位置に規制が少なくなり設計・デザインの自由度が増す事ができる。
【図面の簡単な説明】
【図１】本発明を示すカメラの全体図。
【図２】本発明を示すカメラで特にリモコンソケット部分の断面図。
【図３】本発明を示すカメラの全体図で電気式ワイヤードリモコン装置をカメラに装着した所を示すシステム全体図。
【図４】リモコン装置によりカメラに対し負荷が掛かる事でリモコン端子がリモコンソケットから外れる過程の前半を示す図。
【図５】リモコン装置によりカメラに対し負荷が掛かる事でリモコン端子がリモコンソケットから外れる過程の後半を示す図。
【図６】リモコン端子がリモコンソケットから完全に外れた様子を示す図である。
【図７】従来例を示すカメラの部分断面図。
【符号の説明】
１　カメラの撮影レンズ
２　カメラ
３　カメラのレリーズ釦
４　リモコンソケット
５　リモコン端子
７　操作部
６　ケーブル
８　レリーズ釦
２ａ　凹面
２ｂ　側壁
２ｃ　外観側の稜線
【図１】
2004078050.tif 000003
【図２】
2004078050.tif 000004
【図３】
2004078050.tif 000005
【図４】
2004078050.tif 000006
【図５】
2004078050.tif 000007
【図６】
2004078050.tif 000008
【図７】
2004078050.tif 000009